(57)【要約】【課題】  前記開口部外装装置が持つ防犯機能やプライバシーの保護機能を重点的に追求しつつ、通風性、採光性を確保できる防犯引違戸を提供すること、また、前記マンション等の集合住宅にも設置できる防犯引違戸を提供すること。【解決手段】  前記内外戸１、８は、略同一に構成されており、内戸１は、上下框１０,１１と、左右竪框１２,１３と、前記框１０〜１３により形成された枠体内に、それぞれ水平方向に配列された複数のスラット２と、これらのスラット２を揺動させる揺動機構Ｃを備え、その揺動機構Ｃを操作するための操作スライダー１５が、前記下框１１の上方に配置した桟状部１４に臨んでいる。このように構成された内外戸１,８は前記スラットを開いた状態で、引違い可能に建物開口部Ｂに固定された上下レールＢ２、Ｂ３に取りけられている。【選択図】        図５
2005036508.tif 000002
【特許請求の範囲】
【請求項１】
建物の開口部を開閉する開閉装置に対し、その室内側に配置される内外引違戸において、
これら内外戸は、框と框内に開閉可能に配置される少なくとも１組の複数のスラットとを備え、且つ、前記框は、その上框に前記開口部の高さ寸法と調整可能な調整体と、前記框の左右竪框に前記開口部の幅寸法と調整可能な調整体と、前記左右竪框の対向側面の上下方向に、所定間隔毎に切欠部を設けた遮光片が形成され、前記スラットは、前記切欠部に回転軸が位置し、その回転中心に対して点対称的に形成された上下羽根と、上下方向に隣接する上下羽根の先端を係合させる係合片が形成されていると共に、
前記スラットを開いた状態で、引違い可能に前記開口部に取付けられることを特徴とする防犯引違戸。
【請求項２】
建物の開口部を開閉する開閉装置に対し、その室内側に配置される内外引違戸において、
これら内外戸は、框と框内に開閉可能に配置される少なくとも１組の複数のスラットとを備え、且つ、前記框は、その上框に前記開口部の高さ寸法と調整可能な調整体と、前記框の左右竪框に前記開口部の幅寸法と調整可能な調整体と、前記左右竪框の対向側面の上下方向に、所定間隔毎に切欠部を設けた遮光片が形成され、前記スラットは、その回転中心に対して点対称的に形成された上下羽根と、上下方向に隣接する上下羽根の先端を係合させる係合片が形成されていると共に、
前記スラットを開いた状態で引違い可能に、且つ、前記スラットをその閉状態から略９０度に開いた状態で、上下方向に隣接するスラットの上下の羽根が重なり可能に前記開口部に取付けられることを特徴とする防犯引違戸。
【請求項３】
前記内外戸が、前記開口部の額縁に納められていることを特徴とする防犯引違戸の取付構造。
【請求項４】
前記額縁にカーテン等をセット可能な請求項３に記載の防犯引違戸の取付構造。
【発明の詳細な説明】
【技術分野】
【０００１】
この発明は、建物の開口部に配置される開閉装置等のガラス障子の室内側に配置される防犯引違戸に関する。
【背景技術】
【０００２】
空き巣、居直り強盗等、社会不安を引き起こす犯罪の発生件数が高水準で推移している。
空き巣の家屋侵入の手口には、ピッキング等で玄関から侵入する場合の他、窓ガラスを割って、クレセント等を開錠して侵入する場合も多い。段上への足場があれば、２階等のベランダからも室内に侵入してくるケースもある。
このような社会情勢に対応するため、サッシメーカーとしての出願人は、防風、防雨、防犯、プライバシーの保護の機能を保持させつつ、通風性、採光性を発揮できる構造の開口部外装装置を社会に提供している（例えば、特許文献１参照）
【０００３】
【特許文献１】特開２００２−２５６７７６（図１、図９）
【発明の開示】
【発明が解決しようとする課題】
【０００４】
このような外装装置は、1戸建て住宅の場合には居住者の意思により自由に設置できるものの、しかし、マンション等の集合住宅では共用部分の変更に該当し、建物の区分所有等に関する法律により、居住者の自由に設置できない。
【０００５】
そこで、本願では、前記開口部外装装置が持つ防犯機能やプライバシーの保護機能を重点的に追求しつつ、通風性、採光性を確保できる防犯引違戸を提供すること、また、前記マンション等の集合住宅にも設置できる防犯引違戸を提供することを目的とする。
【課題を解決するための手段】
【０００６】
上記課題を解決するため、建物の開口部を開閉する開閉装置に対し、その室内側に配置される内外引違戸において、これら内外戸は、框と框内に開閉可能に配置される少なくとも１組の複数のスラットとを備え、且つ、前記框は、その上框に前記開口部の高さ寸法と調整可能な調整体と、その左右竪框に前記開口部の幅寸法と調整可能な調整体と、その左右竪框の対向側面の上下方向に、所定間隔毎に切欠部を設けた遮光片が形成され、前記スラットは、前記切欠部に回転軸が位置し、その回転中心に対して点対称的に形成された上下羽根と、上下方向に隣接する上下羽根の先端を係合させる係合片が形成されていると共に、前記スラットを開いた状態で、引違い可能に前記開口部に取付けられることを特徴とする防犯引違戸とした（請求項１に記載の発明）。
ここで、開閉装置とは典型的にはガラス障子であるが、これに限定されるものではない。
また、１組の複数枚のスラットとは、後述の揺動機構により同時にスラットの開閉動作が可能な単位を意味するが、内戸又は外戸に対して、上下框間の中框の上下にそれぞれ１組等、２組以上でもよい。
【０００７】
この発明によれば、ガラス障子等による施錠と、防犯引違戸による施錠とで、２重に施錠されるので、防犯機能が高まる。
また、施錠した状態で、スラットを開閉できるので、採光性、通風性、日照調整、外部からの視線の遮断などのプライバシー保護を確保することができる。
また、スラットの開放状態のまま、内外戸が引違い可能に前記開口部に取付けられるので、内外戸を重ねても高い採光性を維持でき、非常時の脱出も容易である。
また、ガラス障子の室内側に配置されるので、窓からの防犯対策が不充分なマンション等に取付けることで、防犯機能を高めることができる。
【０００８】
上記課題を解決するため、建物の開口部を開閉する開閉装置に対し、その室内側に配置される内外戸において、これら内外戸は、框と框内に開閉可能に配置される少なくとも１組の複数のスラットとを備え、且つ、前記框は、その上框に前記開口部の高さ寸法と調整可能な調整体と、その左右竪框に前記開口部の幅寸法と調整可能な調整体と、その左右竪框の対向側面の上下方向に、所定間隔毎に切欠部を設けた遮光片が形成され、前記スラットは、前記切欠部に回転軸が位置し、その回転中心に対して点対称的に形成された上下羽根と、上下方向に隣接する上下羽根の先端を係合させる係合片が形成されていると共に、前記スラットを開いた状態で引違い可能に、且つ、前記スラットをその閉状態から略９０度に開いた状態で、上下方向に隣接するスラットの上下の羽根が重なり可能に前記開口部に取付けられることを特徴とする防犯引違戸とした（請求項２に記載の発明）。
この発明は、上記防犯引違戸と同様な作用効果を奏する他、前記スラットをその閉状態から略９０度に開いた状態で、上下方向に隣接するスラットの上下の羽根が重なり可能であることから、開口部に対する納め幅をより縮めることができる。
【０００９】
上記防犯引違戸において、前記内外戸が、前記開口部の額縁に納められていることを特徴とする防犯引違戸の取付構造とし（請求項３に記載の発明）、また前記額縁にカーテン等をセット可能な防犯引違戸の取付構造（請求項４に記載の発明）とした。
新設又は既設の建物を問わず、開口部の額縁のスペースを有効に活用することができる。
【発明の効果】
【００１０】
本願発明によれば、ガラス障子等による施錠と、防犯引違戸による施錠とで、２重に施錠されるので、防犯機能が高まる。
また、施錠した状態で、スラットを開閉できるので、採光性、通風性、日照調整、外部からの視線の遮断などのプライバシー保護を確保することができる。
また、スラットの開放状態のまま、内外戸が引違い可能に前記開口部に取付けられるので、内外戸を重ねても高い採光性を維持でき、非常時の脱出も容易である。
また、ガラス障子の室内側に配置されるので、窓からの防犯対策が不充分なマンション等に取付けることで、防犯機能を高めることができる。
【発明を実施するための最良の形態】
【００１１】
本発明に係る引違戸の実施形態を図面に基づいて説明する。
【００１２】
図１は引違戸の外観図、図２は同内観図、図３は同引違戸の各スラットを閉じた状態の断面図、図４は同スラットを開けた状態の断面図である。
上記各図及び後述の各図において、略同一の構成は同一の符号を用いて詳細な説明を省略する。
【００１３】
前記引違戸Ａは、図１〜図４に示したように、内外戸１、８からなり、各戸１、８には、１組の複数のスラット２・・・が開閉可能に配置されている。
各戸１、８は、建物開口部Ｂに配置され、かつ、それぞれスラット２を開いた状態であっても引違い可能に構成され、建物開口部Ｂに取付けられたガラス障子Ｇの室内側に配置されている（図１０参照）。なお、ガラス障子Ｇの室外側に配置してもよい。
【００１４】
前記内外戸１、８は、略同一に構成されているので、以下の実施形態では、内戸１を外戸８に代表させて説明する。
内戸１は、上下框１０,１１と、左右竪框１２,１３と、前記框１０〜１３により形成された枠体内に、それぞれ水平方向に配列された複数のスラット２と、これらのスラット２を揺動させる揺動機構Ｃを備え、その揺動機構Ｃを操作するための操作スライダー１５が、前記下框１１の上方に配置した桟状部１４に臨んでいる。
【００１５】
前記上框１０は、図５に図示したように、上開きコ字状に形成された框本体１００と、この框本体１００の内側スペース１０１に取付けられた調整体１０２を備えている。
この調整体１０２は、前記内戸１を建物開口部Ｂに配置する場合に、高さ方向の取付寸法を調整するもので、建物開口部Ｂの額縁等Ｂ１に固着された上レールＢ２の足Ｂ２０、Ｂ２０を収納する収納溝１０２aを備えている。
よって、前記上レールＢ２の足Ｂ２０、Ｂ２０の高巾の幅内で、高さ方向の取付寸法を調整できるようになっている。
このような調整体１０２は、前記框本体１００に沿って、長尺状に形成してもよいし、前記框本体１００に所定間隔毎に配置できる短尺状（ピース）のものでもよい。
【００１６】
前記下框１１は、図５に図示したように、下開きコ字状に形成された框本体１１０と、この框本体１１０の内側スペース１１１に取付けられた戸車１１２を備えている。
この戸車１１２は、建物開口部Ｂの額縁等Ｂ１に固着された下レールＢ３を走行するものである。
【００１７】
前記左竪框１２は、図６(ａ)に図示したように、外框１２０と内框１２１を備え、前記外框１２０にはキー付きクレセント９が取付けられ、前記内框１２１の中空部１２１aには、前記揺動機構Ｃを構成する第１、第２の伝達部材５、６が収納されている。
前記内框１２１の、前記右竪框１３に対向する側面１２１ｂには、内框１２１の上下方向に沿って、遮光片１２１ｃが突設されている。
この遮光片１２１ｃは、前記スラット２を閉じたときに、室内側の光が室外に、室外側の光が室内に通過することを防ぐもので、その詳細を図６(ｂ)に示す。
即ち、同図に示したように、前記遮光片１２１ｃは、前記スラット２の回転軸を前記内框１２１の中空部１２１aに臨ませるための孔１２１ｄの部分を切欠いて、内框１２１の上下方向に沿って形成されている。
上下に隣接する前記スラット２を閉じた場合には、各スラット２の回転軸の上方のスラット端部が前記孔１２１ｄの上方の遮光片１２１ｃに当接し、前記回転軸の下方のスラット端部が前記孔１２１ｄの下方の遮光片１２１ｃに当接し、遮光できるようになっている。
【００１８】
前記右竪框１３は、図６(ａ)に図示したように、外框１３０と内框１３１を備え、前記外框１３０には調整体１３２が設けられている。
この調整体１３２は、横開きコ字状のスペース部１３０aと、このスペース部１３０aに出没可能な、逆横開きコ字状の調整片１３０ｂから構成されている。
前記調整片１３０ｂは、前記スペース部１３０aに沿って、上下方向に長尺状に形成されており、固着部分１３０ｃを除いた調整片１３０ｂの幅Ｗの範囲内で、横巾方向の幅を調整できるようになっている。
その他の構成及び効果は、前記左竪框１２と略同様であるので、詳細な説明は省略する。
【００１９】
前記外戸８の右竪框８２に、前記クレセント９のクレセント受け９Ａが固着されている他、前記外戸８の右竪框８２は、前記左竪框１２と略同一に、また前記外戸８の左竪框８３は、前記左竪框１３と略同一に形成されている。
即ち、前記左右竪框８２、８３には前記遮光片１２１ｃと同様な遮光片８２１ｃ、８３１ｃが突設され、前記左竪框８３には前記調整体１３２と同様な調整体８３２が設けられている。
【００２０】
前記スラット２は、中央中空部２０と、この中央中空部２０の中心に形成された回転軸２１と、前記中心中空部２０の外縁２００の上下からそれぞれ直線状に外側に延びる上下の羽根２２、２３を備えて、長尺状に成形されている。成形方法は、アルミの押出し加工でもよいし、鉄等のホーミングロールでもよい。
前記中央中空部２０は、縦長の略ロ字状に形成されており、中央中空部２０の両端が塞がれて前記回転軸２１が形成されている。この回転軸２１は前記スラット２の重心位置に略一致しているので、前記操作スライダー１５の左右のスライドにより、スラット２が軽快に回転するようになっている。
前記羽根２２、２３は、前記回転軸２１について点対称的に形成されている。前記羽根２２の先端は、室外側に略９０度に折れ曲がって形成され、また、前記羽根２３の先端は室内側に略９０度で折れ曲がって形成され、上下方向に隣接する上下羽根の先端を係合させる係合片２４が設けられている。
なお、前記羽根２２の両端部には、前記遮光片１２１ｃ、１３１ｃに当接する後当羽根部２２０が形成され、前記羽根２３の両端部には、前記遮光片１２１ｃ、１３１ｃに当接する前当羽根部２３０が形成されている（図７参照）。
【００２１】
次に、前記揺動機構の構成例を図７に基づいて説明する。
前記揺動機構は、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２２】
前記操作スライダー１５は、摘み片１５０と、この摘み片１５０を取付ける取付片１５１とスライダー本体１５２からなり、そのスライダー本体１５２が、前記桟状部１４に設けられたスライド枠１４２（図５）に沿って直線的に滑動できるように配置されている。
【００２３】
前記スライダー本体１５２の構成例を、図７及び図８に基いて説明する。
図７に示したように、スライダー本体１５２は、断面が横置き帽子状の前記スライド枠１４２に対応した形状であって、両側面に前記ねじりバー３を貫通させる孔１５３と、背面に前記取付片１５１が当たる凹部１５４と、前記取付片１５１をかしめて取付けるための孔１５５が設けられている。
前記孔１５３の内部には、図７のＡ−Ａ断面〜Ｃ−Ｃ断面を図示した図８(a)〜(ｃ)のように、その略中央に前記孔１５３の開口を狭める壁１５６、１５６と、これらの壁１５６、１５６の先端間に形成されるスリット状の口１５７を備えている。
このスリット状の口１５７の幅は、前記ねじりバー３の厚さと略同一である。
【００２４】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。例えば、図７に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、操作スライダー１５のスライド幅に応じてスラット２の開閉角度を調整することができる。
【００２５】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２６】
前記回転軸３２は、図７に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記内框１２１に設けられた孔１２１ｄ（図６(ｂ)参照）から、その内框１２１の中空部１２１a（図６(ａ)参照）に突出され、前記第１の伝達部材５の一端５０に連結されている。
【００２７】
前記第１の伝達部材５は、内框１２１の中空部１２１aに収容され、図７に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２８】
前記第１の伝達部材５の他端５１は、前記内框１２１の中空部１２１aに沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている（図７照）。
一方、前記バー部材４の孔４１に対応するように、前記第１の伝達部材５と略同一の形状に成形された第２の伝達部材６の一端６０が、後述のスラットホルダ７を介して前記内框１２１内に回転可能に配置されている（図５等参照）。この第２の伝達部材６の他端６１は、前記バー部材４の前記各孔４１に空転可能に配置されており、第２の伝達部材６は、その一端６０を中心にして前記第１の伝達部材５と同調して回転する。
【００２９】
前記スラットホルダ７は、図７等に示したように、前記内框１２１の中空部１２１a内に臨む回転軸７０と、この回転軸７０に同軸的に固定され、且つ、内框１２１の外側面に当接する鍔部７１と、前記スラット２の側面に埋込まれる楔部７２からなっている。
なお、前記スラット２の他端を回転可能に保持するスラットホルダ７Ａ（図６(ａ)参照）は、前記竪框１３に取付けられており、前記スラットホルダ７と同様に構成され、その楔部７２が前記スラット２の側面に埋込まれている。
上述のように、前記操作スライダー１５、ねじりバー３、バー部材４、第１の伝達部材５及び第２の伝達部材６は、前記竪框１２側に取付けられているが、竪框１３側に取付けても良い。
【００３０】
前記クレセント９は、図２のように、内戸１にクレセント本体を、外戸８側に、クレセント受りを取付け、そのクレセント本体はキー付きのものを用いている。
施錠装置としては、どのような構造のクレセントでもよく、またクレセントに限定されるものでもない。
また、上記のように構成された防犯引違戸は、アイボリーホワイト、その他のカラーに着色されており、意匠的に室内と調和できるようにしている。
【００３１】
次に、上記のように構成された内外戸１,８の建物開口部Ｂに対する取付構造の１例を説明する。
図１０に示したように、開口部Ｂの額縁Ｂ１に上下レールＢ２、Ｂ３を固定する。
前記開口部Ｂの寸法に合わせて、内外戸１、８の調整体１０２、１３２等により、納めの調整を行い、ケンドンで内外戸１、８を上下レールＢ２、Ｂ３に取付ける。
前記額縁Ｂ１にはカーテンレールも取付けることができ、カーテンをセットすることができる。
【００３２】
次に、上記のように構成された防犯引違戸の使用例を説明する。
前記スラット２が閉鎖状態にある場合は、前記操作スライダー１５は図２に示したように右端の位置（外戸８の場合は、左端）にある。
【００３３】
この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３４】
このとき、図８及び図９に図示したように前記スライダー本体１５２の壁１５６、１５６の各先端は、その横方向の断面形状がラウンド状に形成され、かつ、前記ねじりバー３の長さ方向に対して略直交に位置する。
よって、前記スライダー本体１５２の壁１５６、１５６は、前記ねじりバー３に対して線状に接触することで、前記スライダー本体１５１に「ガタツキ」が生じることなく、スムーズにスライドさせることができる。
また、前記ねじり状の孔１５２をねじりバー３の「ねじれ」にそって忠実に形成すると、操作スライダー１５を操作する際に、「ガタ」が生じ、一方、全てのねじりバー３に全く同一の「ねじれ」を形成させることの困難性が解消する。
【００３５】
前記操作スライダー１５を中間位置まで移動させると、前記スラット２が半開される。
【００３６】
さらに左端まで前記操作スライダー１５をスライドさせると、スラット２が全開となる。
この時、内外戸１、８を重ねて配置した場合の採光量は、該ブラインド格子がない場合の約７０〜８０％を確保できるようになっており、また、内戸１、８を重ねて配置可能になっているので、開口部Ｂの半分が開放されて、採光性は十分である。
なお、各スラット２を閉じるときには、前記操作スライダー１５を右側にスライドさせればよい
【００３７】
以上のような防犯引違戸によれば、第１に、室外側のガラス障子Ｇと室内側の防犯引違戸Ａの２重の防犯構造であることから、防犯性が向上する。
即ち、ガラス障子Ｇのガラスが割られても防犯でき、また、スラット２,２の間から手を入れて、クレセント９を開けようとしても、クレセントキーは、框１２の最下端に落ちているので、防犯引違戸Ａを開けることはできない。
第２に、マンションのような集合住宅のように建物の外観に影響を与える製品の設置に制約がある場合でも、防犯引違戸Ａは設置の制約に抵触することなく、窓からの防犯対策が不充分なマンション等のテラスサッシ窓部の防犯機能を高めることができる。
第３に室内への、通気性、採光量が確保される。特に、夏季等、ガラス障子Ｇを開放しても、防犯引違戸Ａの施錠をしておけば、外部からの侵入を心配することなく、通気を確保でき、外部からの視線も遮断できる。
第４に、内戸１のスラット２が全開状態でも、内外戸子１、８を引違いに重ねて配置可能になっているので、人の出入りや災害時、非常時の室外への脱出にも問題はない。
第５に、前記操作スライダー１５は、前記スライダー本体１５１に「ガタツキ」が生じることなく、スムーズにスライドさせることができ、ねじりバー３と同様にもコストを低減化させることかできる。
第６に、前記左右の内框１２１，１３１に遮光片１２１ｃ，１３１ｃが形成されているので、この点からもプライバシー保護や防犯性に優れている。
【００３８】
なお、前記回転軸３２の回転方向を直交させる部材を、その回転軸３２と第１の伝達部材５間に介在させることにより、前記操作スライダー１５、前記ねじりバー３及び前記回転軸３２を竪框１２、１３側に配置することもできる。また、前記実施形態においては、前記各戸１,８の框内略全面にスラットを配置していたが、框内の上部、中部或いは下部など、所定の領域に限定し、これらのスラットを揺動させる揺動機構を設けてもよい。
また、この実施形態では、２枚のガラス障子であったが、４枚のガラス障子からなる場合には、同様に４枚の上記各戸を取付けてもよい。
また、防犯引違戸Ａは、室内用のサッシであることから、上記構成の内、強度、水密及び気密性を高める部分は、省くようにしてもよい。例えば、消音部材等である。
また、前記各戸１、８の室内側又は室外側に網戸取付ヒレを設け、ロッド部材Ｄ２を前記網戸取付ヒレに埋めこむように、網目部材Ｄを取付けてもよい（図１３参照）。
【００３９】
次に、図１１及び図１２に基づき、別例に係る防犯引違戸の構成例を説明する。
この防犯引違戸Ａ１が、上記防犯引違戸Ａと異なる点は、第１に、前記スラット２をその閉状態から略９０度に開いた状態で、上下方向に隣接するスラット２の上下の羽根２２、２３が重なり可能に、内外戸１、８の各スラット２が配置されていること、内戸１の竪框１２、１３が、外戸８のスラット２の回転の軌跡を考慮して、薄く形成されていることである。
即ち、防犯引違戸Ａ１の前記内戸１の左右竪框１２、１３の横幅は、その上下框１０、１１に対し、室内側から略６／１０程度の幅厚に形成されている。
よって、図１２のように、外戸８のスラット２が開放された状態でも、それらのスラット２が内戸１の左右竪框１２、１３に衝突することなく、それぞれ引き違い可能になっている。
なお、この実施形態では、内戸１のスラット２の先端が室内側に飛び出しているが、前記内戸１を外戸とし、前記外戸８を内戸にして、そのスラット２の先端が室外側に飛び出するようにしてもよい。
その他の構成は、上記内外戸と同様であって、上記作用効果に加えて、防犯引違戸Ａ１の場合、さらに納め幅を狭めることきができる。
【図面の簡単な説明】
【００４０】
【図１】防犯引違戸の室外側正面図、
【図２】同室内側正面図、
【図３】防犯引違戸を構成するスラットの閉鎖時の側断面図、
【図４】同開放時の側断面図、
【図５】同拡大側断面図、
【図６（ａ）】同拡大平断面図、
【図６（ｂ）】要部斜視図、
【図７】揺動機構の分解斜視図、
【図８】（ａ）〜(ｃ)  揺動機構の要部断面図、
【図９】揺動機構の動作説明図、
【図１０】防犯引違戸の取付構造図、
【図１１】別例に係る防犯引違戸の同拡大平断面図
【図１２】同拡大側断面図、
【図１３】網戸の斜視図。
【符号の説明】
【００４１】
Ａ  Ａ１  防犯引違戸
Ｂ  開口部
Ｂ１  額縁                  Ｂ２  Ｂ３  レール                  
Ｇ  ガラス障子
１  ８  ブラインド格子            ２  スラット
３  ねじりバー                      ４  バー部材
５  第１の伝達部材                  ６  第２の伝達部材
７  ７Ａ  スラットホルダ            １０  上框
１１  下框                          １２  竪框
１３  竪框                          １４  中框(桟状部)  
１５  操作スライダー                ３０  一端
３１  他端                        ３２  回転軸
３３  軸受                        ４０  ４１  孔
５０  第１の伝達部材の一端        ５１  他端
６０  第２の伝達部材の一端        ６１  他端
７０  回転軸
７１  鍔部                        ７２  楔部
９  クレセント                    ９Ａ  鍵装置（クレセント受け）
１２０  外框                      １２１    内框
１２１a  中空部
１２１ｂ  対向する側面
１２１ｃ  １３１ｃ  遮光片
１２１ｄ  孔
１５０  摘み片                      １５１  取付片
１４２  スライド枠
１５２  スライダー本体                      １５３  孔
１５４  凹部                                １５５  孔
１５６、１５６  壁
１５７  スリット状の口
３２０  固定円柱部              ３２１  回転部
３２２  ４角孔                  ３２３  段差
【図１】
2005036508.tif 000003
【図２】
2005036508.tif 000004
【図３】
2005036508.tif 000005
【図４】
2005036508.tif 000006
【図５】
2005036508.tif 000007
【図６（ａ）】
2005036508.tif 000008
【図６（ｂ）】
2005036508.tif 000009
【図７】
2005036508.tif 000010
【図８】
2005036508.tif 000011
【図９】
2005036508.tif 000012
【図１０】
2005036508.tif 000013
【図１１】
2005036508.tif 000014
【図１２】
2005036508.tif 000015
【図１３】
2005036508.tif 000016